(57)【特許請求の範囲】
【請求項１】
一対の基板間に液晶を挟持してなる液晶セルと、
前記液晶セルの内側に配置され、前記液晶側から入射した光を反射する半透過反射板と、
前記液晶セルの外側に配置された導光板と、
前記液晶セルと前記導光板との間に配置された位相差板と、
前記導光板と前記位相差板との間に配置された散乱偏光板と、
前記導光板の前記散乱偏光板が配置された側と反対側に配置された反射板と、
を備えた液晶装置において、
前記位相差板は、前記半透過反射板において前記液晶側から入射した光が反射されたときの円偏光の回転方向と同じ回転方向の円偏光を前記液晶セルの側に出射するとともに、前記半透過反射板によって前記導光板側に反射された円偏光を直線偏光に変換して前記散乱偏光板を透過させることを特徴とする液晶装置。
【請求項２】
前記位相差板は、４分の１波長板であることを特徴とする請求項１記載の液晶装置。
【請求項３】
前記位相差板は、４分の１波長板と２分の１波長板とを有して構成されていることを特徴とする請求項１記載の液晶装置。
【請求項４】
前記導光板と前記反射板との間には、更に位相差板が備えられていることを特徴とする請求項１記載の液晶装置。
【請求項５】
前記導光板と前記反射板との間に配置された前記位相差板は、前記導光板側から入射した直線偏光を、９０度旋光させた直線偏光として再び前記導光板側に出射することを特徴とする請求項４に記載の液晶装置。
【請求項６】
請求項１から請求項５のいずれか１項に記載の液晶装置を搭載したことを特徴とする電子機器。
【発明の詳細な説明】
【０００１】
【発明の属する技術分野】
本発明は液晶装置、特に反射表示と透過表示を切り替えて表示することが出来る半透過反射型液晶装置に関する。また、この液晶装置を用いた電子機器に関する。
【０００２】
【従来の技術】
外光を利用して表示を行う反射型液晶装置は、暗い場所で表示を認識することができない。従って、補助光源を備えた半透過反射型として利用されることが多い。近年急速に普及が進んでいる反射型カラー液晶装置も、その多くは例えば国際公開された国際出願（国際出願の番号：ＷＯ９９／４０４８０）に開示されているように、半透過反射型カラー液晶装置として利用されている。
【０００３】
従来の半透過反射型液晶装置の構成について、図８に基づいて説明する。８０１は第１偏光板、８０２は第１位相差板、８０３は第２位相差板、８０４は液晶セル、８０５は第３位相差板、８０６は第２偏光板、８０７はバックライトである。液晶セル８０４は、第１基板８１１と第２基板８１２、液晶８１３、第１基板内面に設けられた走査電極８１４、第２基板内面に設けられた信号電極を兼ねる半透過反射板８１５とからなる。またバックライト８０７は、導光板８２１と反射板８２２、光源８２３とからなる。
【０００４】
次に、図９に基づいて従来の半透過反射型液晶装置の動作原理を説明する。図９において、９０１は第１偏光板、９０２は第１位相差板、９０３は第２位相差板、９０４は液晶、９０５は半透過反射板、９０６は第３位相差板、９０７は第２偏光板、９０８は導光板、９０９は反射板である。また、９１１は液晶のオン領域であり、９１２は液晶のオフ領域である。オン領域では液晶に選択電圧が印加され、チルト角、即ち液晶分子が基板表面となす角度が大きくなっている。一方、オフ領域では液晶に非選択電圧が印加され、チルト角が小さくなっている。
【０００５】
まず反射表示について説明する。外光９２１は、第１偏光板によって直線偏光に変換され、第１位相差板、第２位相差板、液晶を通って、オン領域では円偏光に、オフ領域では直線偏光に変換される。その後、半透過反射板で反射されて液晶、第２位相差板、第１位相差板を通って、オン領域では入射偏光と直交する直線偏光に変換されて偏光板に吸収され黒表示９３１に、オフ領域では入射偏光と平行な直線偏光に変換されて偏光板を透過し白表示９３２になる。
【０００６】
次に透過表示について説明する。バックライト光源９２２から出た光は、導光板中で全反射を繰り返しながら、導光板に刻まれたシボ等（図示せず）によって散乱されて液晶セル側に出射する。この光は第２偏光板で直線偏光に、さらに第３位相差板によって円偏光に変換される。この円偏光を、反射表示で液晶のオン領域に入射した外光が半透過反射板によって反射された際の円偏光と同じ回転方向、例えば右回りの円偏光になるよう設定しておくことによって、オン領域で黒を、オフ領域で少し暗めの白を表示することが出来るようになる。一方、半透過反射板で下方に反射された円偏光は左回りの円偏光になり、第３位相差板によって直線偏光に戻された後、第２偏光板で吸収される。
【０００７】
【発明が解決しようとする課題】
しかしながら、こうした従来の半透過反射型カラー液晶装置には、透過率が低いという課題があった。これは、先に説明したように半透過反射板で反射したバックライトの光が、第３位相差板による偏光変換により、第２偏光板で吸収されてしまうことに原因があった。半透過反射板の透過率は、５〜１５％程度に過ぎないから、実に８５〜９５％の光が無駄になっている計算になる。
【０００８】
そこで本発明においては、散乱偏光板を備えたバックライトを利用することによって、半透過反射板を反射される光をリサイクルして光の利用効率を向上し、透過率が高い半透過反射型液晶装置を提供することを目的とする。
【０００９】
【課題を解決するための手段】
上記課題を解決するために本発明が講じた手段は、以下の通りである。
【００１０】
本発明による液晶装置は、一対の基板間に液晶を挟持してなる液晶セルと、前記液晶セルの内側に配置され、前記液晶側から入射した光を反射する半透過反射板と、前記液晶セルの外側に配置された導光板と、前記液晶セルと前記導光板との間に配置された位相差板と、前記導光板と前記位相差板との間に配置された散乱偏光板と、前記導光板の前記散乱偏光板が配置された側と反対側に配置された反射板と、を備えた液晶装置において、前記位相差板は、前記半透過反射板において前記液晶側から入射した光が反射されたときの円偏光の回転方向と同じ回転方向の円偏光を前記液晶セルの側に出射するとともに、前記半透過反射板によって前記導光板側に反射された円偏光を直線偏光に変換して前記散乱偏光板を透過させることを特徴とする。また、前記位相差板は、４分の１波長板であることを特徴とする。あるいは、また、前記位相差板は、４分の１波長板と２分の１波長板とを有して構成されていることを特徴とする。散乱偏光板とは、所定の直線偏光成分を散乱し、それ以外の偏光成分を透過する機能を有する偏光板である。また位相差板は、これに入射する直線偏光を概ね円偏光に変換する機能を有し、少なくとも１枚の４分の１波長板を含む構成が望ましい。また散乱偏光板は導光板に接着しておくことが望ましい。上記構成によれば、散乱偏光板によって導光体から直線偏光が取り出され、位相差板によって円偏光に変換されて半透過反射板に入射する。半透過反射板で反射された光も、反射板で反射されてリサイクルされる。この間に光を吸収する部材が無いため、光の多くが半透過反射板を透過し、従来よりも明るい透過表示が得られるという効果を有する。
【００１１】
また、本発明による液晶装置は、前記導光板と前記反射板との間には、更に位相差板が備えられていることを特徴とする。また、前記導光板と前記反射板との間に配置された前記位相差板は、前記導光板側から入射した直線偏光を、９０度旋光させた直線偏光として再び前記導光板側に出射することを特徴とする。この位相差板も、これに入射する直線偏光を概ね円偏光に変換する機能を有し、少なくとも１枚の４分の１波長板を含む構成が望ましい。また、特に上記の液晶装置においては、反射板が鏡面に近い反射面を持ち、偏光を乱さないことが望ましい。上記構成によれば、半透過反射板で反射された光が、同じ偏光状態に戻されてリサイクルされるため、明るくコントラストの高い透過表示が得られるという効果を有する。
【００１２】
また、本発明による電子機器は、上記のいずれかに記載の液晶装置を搭載したことを特徴とする。上記構成によれば、電池寿命が長く、かつ表示が見やすい携帯用電子機器が提供出来るという効果を有する。
【００１３】
【発明の実施の形態】
以下、本発明の実施形態を図面に基づいて詳細に説明する。
【００１４】
（第１の実施の形態）
図１は本発明に係る液晶装置の構造を示す図である。第１の実施の形態では特に単純マトリクス型の液晶装置を例に説明するが、同様の構成をアクティブマトリクス型の装置に適用することも可能である。
【００１５】
図１に基づいて構成を説明する。１０１は偏光板、１０２は第１位相差板、１０３は第２位相差板、１０４は液晶セル、１０５は第３位相差板、１０６はバックライトである。液晶セル１０４は、第１基板１１１と第２基板１１２、液晶１１３、第１基板内面に設けられた走査電極１１４、第２基板内面に設けられた信号電極を兼ねる半透過反射板、あるいは信号電極とは別体でこれに近接した半透過反射板１１５とからなる。またバックライト１０６は、導光板１２１と、導光板１２１の液晶セル１０４側の面に配置された散乱偏光板１２２、導光板１２１の散乱偏光板１２２が配置される面とは反対側の面に配置された反射板１２３、光源１２４とからなる。
【００１６】
なお図示した構成要素以外にも、液晶配向膜や上下ショート防止膜、オーバーコート層、スペーサーボール、シール剤、ブラックマスク、アンチグレア膜、液晶ドライバーＩＣ、駆動回路等の要素が必要な場合があるが、これらは図を煩雑にするばかりで、本発明の特徴を説明する上で特に必要が無いため、説明及び図示を省略した。通常に用いられている要素が利用されているものと、理解して欲しい。
【００１７】
次に各構成要素について説明する。偏光板１０１は、所定の直線偏光成分を吸収し、それ以外の偏光成分を透過する機能を有する偏光板であり、例えばヨウ素錯体などの二色性物質をポリビニルアルコールフィルムなどに吸着させ、延伸することによって得られる。また散乱偏光板１２２は、所定の直線偏光成分を散乱し、それ以外の偏光成分を透過する機能を有する偏光板であり、特開平11-174231号公報や特開平11-509014号公報、特表2000-506989号公報、特表2000-506990号公報に開示されているように、等方性ポリマー中に複屈折性ポリマー粒を分散させた構造を有するものなどが利用できる。
【００１８】
第１位相差板１０２と第２位相差板１０３、第３位相差板１０５には、ポリカーボネート樹脂や、分子内に極性基を有するノルボルネン系樹脂の延伸フィルム、あるいは高分子液晶フィルム等が利用できる。第３位相差板は本発明に不可欠の要素であるが、第１位相差板と第２位相差板は、液晶の複屈折による着色を補償するために利用されるものであって、１枚だけ用いても良いし、省略しても良い。第３位相差板は、直線偏光を概ね円偏光に変換する機能を有するものであって、例えば１２０〜１８０ｎｍ程度のリターデーションを有する４分の１波長板や、あるいは４分の１波長板と２分の１波長板の積層品などが適している。
【００１９】
第１基板１１１と第２基板１１２には、ガラス基板またはプラスチック基板が利用できる。但し本発明の液晶装置は、反射表示ばかりでなく透過表示も行うため、両基板は少なくとも可視光の一部の波長領域で透明でなければならない。
【００２０】
液晶１１３は、０°〜３００°ねじれたネマチック液晶組成物から成る。ねじれ角は第１・第２基板における配向処理の方向と、液晶に添加するカイラル剤の分量で決定する。
【００２１】
走査電極１１４は、ストライプ状の透明電極、例えばＩＴＯからなる。但し、アクティブマトリクス型の液晶装置の場合には、走査電極が第２基板側に設けられ、第１基板側には全面にＩＴＯの共通電極を設けるか、さもなくば電極を設けないことになる。
【００２２】
半透過反射板１１５には、一般的にパール顔料を樹脂中に分散させたフィルムが利用されているが、これを液晶セル内に作り込むことは難しい。そこで図２（ａ）（ｂ）（ｃ）に示す３つの方法を考案した。もちろん半透過反射板を得る方法はこれに限定されるわけではなく、これらから派生した別の構造を取っても良い。
【００２３】
図２（ａ）において、２０１は第２基板上に設けられた信号電極を兼ねる半透過反射板、２０２は第１基板上に設けられたＩＴＯからなる走査電極であり、両者が交差する領域が画素領域（ドット）である。２０１のハッチング領域は厚さ２００ÅのＡｌスパッタ膜であり、約８％の光を透過し、残りの光を反射する半透過反射板として機能する。
【００２４】
また図２（ｂ）において、２０３は第２基板上に設けられた信号電極を兼ねる半透過反射板、２０２は第１基板上に設けられたＩＴＯからなる走査電極である。２０３のハッチング領域は厚み２０００ÅのＡｌスパッタ膜であり、光をほとんど透過しないが、２μｍ幅のスリット２０４を複数設けているために、そのスリット領域に入射した光が透過する。スリット領域２０４の液晶は、対向する走査電極との間に生じる斜め電界によってＡｌ膜上の領域とほぼ同じように動作するため、透過表示が可能である。但し、スリット幅が１μｍ変動するごとに、透過表示のしきい値電圧が約０．０４Ｖ変動するため、特に単純マトリクス駆動では、スリット幅を厳密に制御する必要がある。
【００２５】
図２（ｃ）は信号電極と半透過反射板を別体にした例であって、２０５は第２基板上に設けられた半透過反射板、２０７は２０５の全面を覆うように設けられたＩＴＯからなる信号電極、２０２は第１基板上に設けられたＩＴＯからなる走査電極である。２０５のハッチング領域はやはり厚み２０００ÅのＡｌスパッタ膜であり、光をほとんど透過しないが、開口部２０６を設けているために、その領域の光が透過する。また２０５上にＳｉＯ２絶縁膜を介してＩＴＯからなる信号電極２０７を被せているために、開口部２０６の液晶も正常に動作し、透過表示が可能である。
【００２６】
再び図１に戻って、各構成要素について説明する。
【００２７】
バックライト１０６は、導光板１２１と光源１２４を組み合わせた構造で、導光板の上面には散乱偏光板１２２が光学接着されている。さらにその上に、拡散板や集光プリズムを積層してもよい。また導光板の裏面には金属薄膜あるいは誘電体多層膜からなる反射板を配置する。光源には冷陰極管やＬＥＤが利用できる。
【００２８】
なお、特に図示しなかったがカラー表示を得るためには、各ドットに対応してカラーフィルタを設けておく必要がある。また、半透過反射板が鏡面反射する場合には、偏光板１０１と半透過反射板１１５との間に前方散乱板を備えておく必要がある。前方散乱板としては、屈折率が異なる２種類の微小領域から構成されるフィルムが利用できる。半透過反射板が散乱反射する場合には、前方散乱板を省略することが出来る。
【００２９】
次に図３に基づいて、本実施例の液晶装置のセル条件を説明する。図３において、積層された５枚の長方形は、上から順に第１偏光板、第１・第２位相差板、液晶セル、第３位相差板、散乱偏光板の各層を示し、各長方形上に描いた矢印によってその軸方向を示した。
【００３０】
第１偏光板の吸収軸方向３０１は、パネル長手方向に対して左３５．５度である。第１位相差板の遅延軸方向３０２は、パネル長手方向に対して左１０２．５度であり、そのリターデーションは４５５ｎｍである。第２位相差板の遅延軸方向３０３は、パネル長手方向に対して左４８．５度であり、そのリターデーションは５４４ｎｍである。液晶セルの第１基板のラビング方向３０４は、パネル長手方向に対して右３７．５度である。液晶セルの第２基板のラビング方向３０５は、パネル長手方向に対して左３７．５度である。液晶は、第１基板から第２基板に向かって左周りに２５５度ツイストしている。また液晶の複屈折Δｎとセルギャップｄの積は０．９０μｍである。第３位相差板の遅延軸方向３０６は、パネル長手方向に対して右０．５度であり、そのリターデーションは１４０ｎｍである。散乱偏光板の散乱軸方向３０７は、パネル長手方向に対して左１３９．５度である。
【００３１】
次に、図４に基づいて本実施例の液晶装置の動作原理を説明する。図４において、４０１は偏光板、４０２は第１位相差板、４０３は第２位相差板、４０４は液晶、４０５は半透過反射板、４０６は第３位相差板、４０７は散乱偏光板、４０８は導光板、４０９は反射板である。また、４１１は液晶のオン領域、４１２は液晶のオフ領域である。
【００３２】
反射表示の動作については従来の技術と同様である。外光４２１は、偏光板４０１によって直線偏光に変換され、第１位相差板４０２、第２位相差板４０３、液晶４０４を通って、オン領域４１１では円偏光に、オフ領域４１２では直線偏光に変換される。その後、半透過反射板４０５で反射されて液晶、第２位相差板、第１位相差板を通って、オン領域は黒表示４３１に、オフ領域は白表示４３２になる。
【００３３】
次に透過表示について説明する。バックライト光源４２２から出た光は、導光板中で全反射を繰り返しながら、散乱偏光板の散乱軸に平行な偏光成分のみ散乱されて液晶セル側に出射する。散乱偏光板の散乱軸に直交する偏光成分も、散乱偏光板や導光板のリターデーションによって偏光状態を変えつつ、いずれは散乱偏光板で散乱されて出射する。こうして液晶セル側に出射した直線偏光は、第３位相差板によって円偏光に変換される。この円偏光を、反射表示で液晶のオン領域に入射した外光が半透過反射板によって反射された際の円偏光と同じ回転方向になるよう設定しておくことによって、オン領域で黒を、オフ領域で少し暗めの白を表示することが出来るようになる。一方、半透過反射板で下方に反射された円偏光は、反射板で反射されて、再び半透過反射板に戻ってくる。これを何度か繰り返す内に、バックライト光の大部分が半透過反射板を透過することが出来る。
【００３４】
上述したような本実施例の構成によれば、従来の４倍近い透過率を有する半透過反射型液晶装置を提供することができる。逆にその分の半透過反射板の透過率を小さくすることによって、従来よりも反射表示が明るい半透過反射型液晶装置を提供することもできる。
【００３５】
（第２の実施の形態）
次に、本発明に係る第２の実施の形態である液晶装置について説明する。先に説明した第１の実施の形態の液晶装置では、透過表示が明るくなったが、コントラスト的には十分でなかった。そこで本実施形態の液晶装置は、さらに位相差板を導光板と反射板との間に備えることによって、コントラストの高い反射表示を得ようとするものである。
【００３６】
図５は本発明に係る第２の実施の形態である液晶装置の構造を示す図である。ここでは、特に単純マトリクス型のカラー液晶装置を例に説明する。５０１は偏光板、５０２は第１位相差板、５０３は第２位相差板、５０４は液晶セル、５０５は第３位相差板、５０６はバックライトである。液晶セル５０４は、第１基板５１１と第２基板５１２、液晶５１３、第１基板内面に設けられた走査電極５１４、第２基板内面に設けられた信号電極を兼ねる半透過反射板５１５、マイクロカラーフィルタ５１６とからなる。またバックライト５０６は、導光板５２１と、導光板５２１の液晶セル５０４側の面に配置された散乱偏光板５２２、導光板５２１の散乱偏光板５２２が配置される面とは反対側の面に配置された第４位相差板５２３、反射板５２４、光源５２５とからなる。
【００３７】
次に各構成要素について説明する。第４位相差板５２４は、第３位相差板と同様、直線偏光を概ね円偏光に変換する機能を有しており、ポリカーボネート樹脂の延伸フィルム等による４分の１波長板が利用できる。バックライトの反射板５２４は、金属あるいは誘電体多層膜からなり、偏光を乱さない鏡面反射を有するものが望ましい。カラーフィルタ５１６は、反射でも明るい表示を得るために、透過型カラー液晶装置で用いられているタイプよりも透過率が高く、色の淡いものを利用した。必要に応じてブラックマスクを設けても良い。またこのカラーフィルタは、第２基板側の半透過反射板上に設けることも出来る。その他の諸要素は、第１の実施の形態と同様のものを利用した。
【００３８】
次に、図６に基づいて本実施例の液晶装置の動作原理を説明する。図６において、６０１は偏光板、６０２は第１位相差板、６０３は第２位相差板、６０４は液晶、６０５は半透過反射板、６０６は第３位相差板、６０７は散乱偏光板、６０８は導光板、６０９は第４位相差板、６１０は反射板である。また、６１１は液晶のオン領域、６１２は液晶のオフ領域である。
【００３９】
反射表示の動作については従来の技術と同様である。外光６２１は、偏光板によって直線偏光に変換され、第１位相差板、第２位相差板、液晶を通って、オン領域では円偏光に、オフ領域では直線偏光に変換される。その後、半透過反射板で反射されて液晶、第２位相差板、第１位相差板を通って、オン領域は黒表示６３１に、オフ領域は白表示６３２になる。
【００４０】
次に透過表示について説明する。バックライト光源６２２から出た光は、導光板中で全反射を繰り返しながら、散乱偏光板の散乱軸に平行な偏光成分のみ散乱されて液晶セル側に出射する。散乱偏光板の散乱軸に直交する偏光成分も、散乱偏光板や導光板のリターデーションによって偏光状態を変えつつ、いずれは散乱偏光板で散乱されて出射する。液晶セル側に出射した直線偏光は、第３位相差板によって反射表示のオン領域と同じ回転方向、例えば右回りの円偏光に変換される。こうして半透過反射板を透過した光は、オン領域で黒を、オフ領域で少し暗めの白を表示する。一方、半透過反射板で下方に反射された光は左回り円偏光となり、第３位相差板によって当初バックライトから出射した直線偏光に直交する直線偏光に変換されるが、第４位相差板と反射板によって９０度旋光されて、再び第３位相差板で右回り円偏光に変換されて半透過反射板に到達する。これを何度か繰り返す内に、バックライト光の大部分が、右回り円偏光として半透過反射板を透過することが出来る。
【００４１】
上述したような本実施例の構成によれば、従来の４倍近い透過率を有し、かつコントラストが高い半透過反射型カラー液晶装置を提供することができる。
【００４２】
（第３の実施の形態）
次に、本発明に係る第３の実施の形態とする電子機器の例を３つ示す。本発明の液晶装置は、様々な環境下で用いられ、かつ低消費電力が必要とされる携帯機器に適している。
【００４３】
図７（ａ）は携帯電話であり、本体７０１の前面上方部に表示部７０２が設けられる。携帯電話は、屋内屋外を問わずあらゆる環境で利用される。特に自動車内で利用されることが多いが、夜間の車内は大変暗い。従って携帯電話に利用される表示装置は、消費電力が小さい反射型表示をメインに、必要に応じて補助光を利用した透過型表示ができる半透過反射型液晶装置が望ましい。本発明の液晶装置は、特に透過型表示が従来の液晶装置よりも明るく、かつコントラストが高いため、大変視認しやすい。
【００４４】
図７（ｂ）はウォッチであり、本体７０３の中央に表示部７０４が設けられる。ウォッチ用途における重要な観点は、消費電力の低さである。本発明の液晶装置を用いれば、消費電力の小さな暗いバックライト光源を用いても従来同様の透過表示の明るさが確保できるため、電池寿命の長いウォッチが実現出来る。
【００４５】
図７（ｃ）は携帯情報機器であり、本体７０５の上側に表示部７０６、下側に入力部７０７が設けられる。従来このような携帯情報機器には、反射型モノクロ液晶装置を利用することが多かった。透過型カラー液晶装置は、常時バックライトを利用するため消費電力が大きく、連続使用時間が短いからである。このような場合にも本発明の実施形態２のような半透過反射型カラー液晶装置を利用すれば、小さな消費電力でカラーの表示が可能で、従来より格段に使いやすい携帯情報機器が得られる。
【００４６】
【発明の効果】
以上説明したように本発明によれば、散乱偏光板を備えたバックライトを利用することによって、半透過反射板を反射される光をリサイクルして光の利用効率を向上し、透過率が高い半透過反射型液晶装置を提供することができる。また、リサイクルによって透過率が向上した分だけ半透過反射板の透過率を小さくすることによって、従来よりも反射率が高い半透過反射型液晶装置を提供することもできる。
【図面の簡単な説明】
【図１】本発明の第１の実施の形態における液晶装置の構造を示す図である。
【図２】本発明の第１の実施の形態における液晶装置の半透過反射板の構造を示す図である。
【図３】本発明の第１の実施の形態における液晶装置のセル条件を示す図である。
【図４】本発明の第１の実施の形態における液晶装置の動作原理を説明する図である。
【図５】本発明の第２の実施の形態における液晶装置の構造を示す図である。
【図６】本発明の第２の実施の形態における液晶装置の動作原理を説明する図である。
【図７】本発明の第３の実施の形態における電子機器の外観を示す図である。（ａ）携帯電話、（ｂ）ウォッチ、（ｃ）携帯情報機器。
【図８】従来の技術における液晶装置の構造を示す図である。
【図９】従来の技術における液晶装置の動作原理を説明する図である。
【符号の説明】
１０１、５０１  偏光板
１０２、５０２  第１位相差板
１０３、５０３  第２位相差板
１０４、５０４  液晶セル
１０５、５０５  第３位相差板
１０６、５０６  バックライト
１１１、５１１  第１基板
１１２、５１２  第２基板
１１３、５１３  液晶
１１４、５１４  走査電極
１１５、５１５  信号電極を兼ねる半透過反射板、あるいは信号電極と近接した半透過反射板
５１６          カラーフィルタ
１２１、５２１  導光板
１２２、５２２  散乱偏光板
１２３、５２３  反射板
５２３          第４位相差板
１２４、５２５  光源
【図１】
0003858581.tif 000002
【図２】
0003858581.tif 000003
【図３】
0003858581.tif 000004
【図４】
0003858581.tif 000005
【図５】
0003858581.tif 000006
【図６】
0003858581.tif 000007
【図７】
0003858581.tif 000008
【図８】
0003858581.tif 000009
【図９】
0003858581.tif 000010